(57)【特許請求の範囲】
【請求項１】
窓を有する筐体と、
前記筐体の内部に位置する読み取りのための読取部と、
前記窓を覆い、前記窓の第１領域に対向する位置へ原稿を搬送する搬送機構を有する蓋と、
前記搬送機構に搬送される原稿を前記第１領域を通じて前記読取部に読み取らせる第１読取モードと、前記搬送機構に搬送されていない原稿を前記窓の第２領域を通じて前記読取部に読み取らせる第２読取モードとを制御する制御部と、を備える読取装置であって、
前記筐体は、前記第２領域の前記第１領域の側とは反対側の窓外の位置に電力を無線送電する送電回路を有し、
前記蓋は、前記窓を覆った状態で前記送電回路に対向する位置に電力を無線受電して前記搬送機構へ電力を供給する受電回路を有する、ことを特徴とする読取装置。
【請求項２】
前記読取部を搭載し前記筐体の内部で前記制御部による制御下で所定方向に沿って移動可能なキャリッジを有し、
前記蓋は、前記窓を覆った状態で前記所定方向の一端側と他端側とに位置する両端部に取っ手を有する、ことを特徴とする請求項１に記載の読取装置。
【請求項３】
前記筐体は、前記第２領域の前記第１領域の側の窓外の位置に無線通信を実行する筐体側無線通信回路を有し、
前記蓋は、前記窓を覆った状態で前記筐体側無線通信回路に対向する位置に無線通信を実行する蓋側無線通信回路を有する、ことを特徴とする請求項１または請求項２に記載の読取装置。
【請求項４】
前記送電回路は、前記筐体側無線通信回路の位置の近傍の前記第２領域の角と対角関係にある前記第２領域の角の側に位置することを特徴とする請求項３に記載の読取装置。
【請求項５】
前記筐体と前記蓋とは、前記筐体と前記蓋とに介在する軸を中心に回動可能であり、
前記送電回路は、前記筐体側無線通信回路よりも前記軸に近い位置に在ることを特徴とする請求項３または請求項４に記載の読取装置。
【請求項６】
前記蓋は、前記窓を覆った状態で前記筐体側へ凸となる脚を有することを特徴とする請求項１〜請求項５のいずれかに記載の読取装置。
【発明の詳細な説明】
【技術分野】
【０００１】
本発明は、読取装置に関する。
【背景技術】
【０００２】
原稿トレイに載置された複数枚の原稿を一枚ずつ自動的に搬送可能な自動給紙装置（ＡＤＦ：Auto Document Feeder）を備えたフラットベッドスキャナーが知られている。ＡＤＦにより搬送される原稿は順に読み取りの対象となる。原稿トレイおよびＡＤＦは、透明なガラスやプラスチックによる原稿台を有するスキャナーの本体上に配置される蓋（原稿台を閉じるための蓋）に搭載されている。また、スキャナーの本体と蓋は、当該本体から蓋側の駆動部（ＡＤＦ等）へ電力供給を行うためのケーブルで接続されている（例えば、特許文献１参照）。
【先行技術文献】
【特許文献】
【０００３】
【特許文献１】特開２０１４‐１９４４８５号公報
【発明の概要】
【発明が解決しようとする課題】
【０００４】
上述したケーブルの存在は、製品の組み立て作業を煩雑化、複雑化させる。また、当該ケーブルの存在は、製品の小型化、軽量化、コストダウン等に対する阻害要因となり得る。
【０００５】
本発明は少なくとも上述したようなケーブルの存在に起因する様々な課題を解消する読取装置を提供する。
【課題を解決するための手段】
【０００６】
本発明の態様の１つは、窓を有する筐体と、前記筐体の内部に位置する読み取りのための読取部と、前記窓を覆い、前記窓の第１領域に対向する位置へ原稿を搬送する搬送機構を有する蓋と、前記搬送機構に搬送される原稿を前記第１領域を通じて前記読取部に読み取らせる第１読取モードと、前記搬送機構に搬送されていない原稿を前記窓の第２領域を通じて前記読取部に読み取らせる第２読取モードとを制御する制御部と、を備える読取装置であって、前記筐体は、前記第２領域の前記第１領域の側とは反対側の窓外の位置に電力を無線送電する送電回路を有し、前記蓋は、前記窓を覆った状態で前記送電回路に対向する位置に電力を無線受電して前記搬送機構へ電力を供給する受電回路を有する。
【０００７】
当該構成によれば、読取装置の筐体（本体側）から蓋側への電力供給は送電回路と受電回路との間でワイヤレスにより実行される。つまり無接点給電が行われる。これにより、筐体（本体側）と蓋側とを接続するための前記ケーブルが不要となる。また、送電回路は、第２領域の第１領域の側とは反対側の窓外の位置にしている。そのため、無接点給電に際して発生するノイズの影響が、第１領域に対応して静止していることが多い前記読取部による読取処理へ及ぶことが抑制される。
【０００８】
本発明の態様の１つは、読取装置は、前記読取部を搭載し前記筐体の内部で前記制御部による制御下で所定方向に沿って移動可能なキャリッジを有し、前記蓋は、前記窓を覆った状態で前記所定方向の一端側と他端側とに位置する両端部に取っ手を有するとしてもよい。
当該構成によれば、筐体に対する蓋の開け閉めや筐体からの蓋の取り外しが容易となる。
【０００９】
本発明の態様の１つは、前記筐体は、前記第２領域の前記第１領域の側の窓外の位置に無線通信を実行する筐体側無線通信回路を有し、前記蓋は、前記窓を覆った状態で前記筐体側無線通信回路に対向する位置に無線通信を実行する蓋側無線通信回路を有するとしてもよい。
当該構成によれば、読取装置の筐体から蓋側への電力供給だけでなく、当該筐体と蓋との間の通信も無線化することができる。また、無接点給電のための回路（送電回路および受電回路）と無線通信のための回路（筐体側無線通信回路および蓋側無線通信回路）とは少なくとも第２領域を挟んで離れているため、無接点給電に際して発生するノイズの影響が無線通信へ及ぶことが抑制される。
【００１０】
本発明の態様の１つは、前記送電回路は、前記筐体側無線通信回路の位置の近傍の前記第２領域の角と対角関係にある前記第２領域の角の側に位置するとしてもよい。
当該構成によれば、無接点給電のための回路（送電回路および受電回路）と無線通信のための回路（筐体側無線通信回路および蓋側無線通信回路）とは可能な限り離れていると言え、無接点給電に際して発生するノイズの影響が無線通信へ及ぶことが抑制される。
【００１１】
本発明の態様の１つは、前記筐体と前記蓋とは、前記筐体と前記蓋とに介在する軸を中心に回動可能であり、前記送電回路は、前記筐体側無線通信回路よりも前記軸に近い位置に在るとしてもよい。
当該構成によれば、蓋が閉じられる過程で、より早いタイミング（無線通信が可能となるよりも早いタイミング）で無接点給電が可能となる。
【００１２】
本発明の態様の１つは、前記蓋は、前記窓を覆った状態で前記筐体側へ凸となる脚を有するとしてもよい。
当該構成によれば、蓋を取り外して床へ置いたときに、蓋の下面が床へ触れることを防止することができる。
【００１３】
本発明の技術的思想は、読取装置という物以外によっても実現される。例えば、読取装置が備える無接点給電のための回路（送電回路および受電回路）による無接点給電の工程を含んだ方法を、発明として把握することも可能である。
【図面の簡単な説明】
【００１４】
【図１】読取装置の外観を例示する斜視図。
【図２】読取装置の主に内部構成を簡易的に例示する図。
【図３】読取装置の外観を例示する側面図。
【図４】蓋に脚を有する読取装置の外観の一例を示す斜視図。
【図５】蓋に脚を有する読取装置の外観の他の例を示す斜視図。
【図６】読取装置が実行する処理の一例を示すフローチャート。
【図７】無接点給電エラーが発生した場合に実行される処理を示すフローチャート。
【図８】蓋が有する構成の一部を例示するブロック図。
【図９】読取装置が実行する処理の他の例を示すフローチャート。
【図１０】読取装置が実行する処理の更なる他の例を示すフローチャート。
【発明を実施するための形態】
【００１５】
以下では、各図面を参照しながら本発明の実施形態を説明する。各図面は、実施形態を説明するための例示に過ぎず、一部を誇張していることや、また互いに整合していないこともある。
本発明において、読取装置とは、原稿を光学的に読み取って読み取り結果としての画像データを生成する機能（読取機能）を少なくとも有する装置を指す。従って、読取装置は、単体としてのスキャナー以外にも、プリンターやその他（例えばファクシミリ）の機能を併せ持ったいわゆる複合機であってもよい。
【００１６】
１．読取装置の構造的特徴の説明：
図１は、フラットベッドスキャナーとしての読取装置１０の外観を斜視図により例示している。また図２は、読取装置１０の主に内部構成を簡易的に例示している。
読取装置１０の外観は、主に、読取装置本体の筐体２０と、筐体２０の上方に設けられた蓋３０とによって把握できる。
【００１７】
図１に例示するように、筐体２０の上面２１には、窓２２が１つ以上設けられている。窓２２は、上面２１をくり抜いて形成された略矩形の開口にはめ込まれた透明なガラスやプラスチックの板により形成されている。窓２２の少なくとも一部は、フラットベッドスキャナーにおける原稿台に該当する。本実施形態では、窓２２に含まれる各範囲を第１領域２２ａ、第２領域２２ｂと呼ぶ。第２領域２２ｂは、原稿台に該当する範囲であり、第１領域２２ａよりも広い。
【００１８】
図１の例では、第１領域２２ａに該当する窓２２と第２領域２２ｂに該当する窓２２は分離して存在している。また、読取装置１０の前側から読取装置１０に正対したときの左右方向（以下、左右方向）の一端側（例えば左側）に第１領域２２ａが在り、左右方向の他端側（例えば右側）に第２領域２２ｂが在る。むろん、左右方向における第１領域２２ａと第２領域２２ｂとの位置関係は逆であってもよい。窓２２は、１つであってもよい。つまり、上面２１に１つだけ形成された窓２２の一部範囲を第１領域２２ａと呼び、残りの範囲を第２領域２２ｂと呼んでもよい。あるいは、第１領域２２ａと第２領域２２ｂとは、少なくとも一部が重複していてもよい。例えば、上面２１に形成された１つの窓２２の全体を第２領域２２ｂと呼び、当該窓２２（第２領域２２ｂ）の一部範囲を第１領域２２ａとも呼ぶことができる。
【００１９】
蓋３０は、上面２１を開閉する。つまり蓋３０は、閉状態となることで下面３１により窓２２を覆う。また蓋３０は、原稿トレイ３２や、原稿トレイ３２に載置された原稿を窓２２の第１領域２２ａに対向する位置へ搬送する搬送機構３３等を有する。搬送機構３３は、ＡＤＦとして機能する。
【００２０】
筐体２０の内部には、窓２２を通じて原稿の読み取りを実行するための読取部（第１読取部）２３が配置されている。また、筐体２０は、プログラムに従って読取装置１０の各部の挙動を制御する制御部２４や、原稿の読み取り開始の指示（以下、開始指示）を始めとしたユーザーからの各種指示を受け付ける受付部２５等を有している。制御部２４は、例えば、ＣＰＵ、ＲＯＭ、ＲＡＭ等を有するＩＣや、その他の記憶媒体等により構成される。
【００２１】
制御部２４は、搬送機構３３に搬送される原稿を窓２２の第１領域２２ａを通じて第１読取部２３に読み取らせる第１読取モードと、搬送機構３３に搬送されていない原稿を窓２２の第２領域２２ｂを通じて第１読取部２３に読み取らせる第２読取モードとを制御することが可能である。搬送機構３３に搬送されていない原稿とは、原稿台つまり第２領域２２ｂへ載置された原稿を指す。第１読取モードをＡＤＦスキャンモードと呼び、第２読取モードをフラットベッド（ＦＢ）スキャンモードと呼んでもよい。
【００２２】
図２の例では、原稿トレイ３２へ載置された複数枚の原稿を符号Ａにより示している。搬送機構３３は、原稿トレイ３２に載置された複数枚の原稿を一枚ずつ連続して搬送経路Ｒに沿って搬送することが可能である。図２では、搬送経路Ｒを２点鎖線の矢印にて例示している。搬送経路Ｒの下流側には、排紙台３４が設けられており、搬送経路Ｒに沿って搬送された原稿は、排紙台３４上へ排出される。搬送機構３３は、例えば、原稿トレイ３２から原稿を一枚ずつ分離する分離ローラー３３ａや、一枚に分離された原稿を搬送経路Ｒに沿って送る搬送ローラー３３ｂ等を有する。図示は省略しているが、搬送機構３３は、ローラー３３ａ，３３ｂ等を回転させるためのモーターや、当該モーターの動力をローラー３３ａ，３３ｂ等に伝達するためのギア輪列等を有する。
【００２３】
第１読取部２３は、上面２１と平行な方向、かつ、左右方向に直交する方向に長さを有するラインセンサーを含んでいる。当該ラインセンサーとしては、ＣＣＤやＣＩＳ等、知られている様々なイメージセンサーの方式を採用可能である。また、第１読取部２３は、ラインセンサーが原稿を読み取るために必要な光源や光学系を適宜有する。図２の例では、第１読取部２３は、上面２１と平行かつ左右方向に移動可能なキャリッジ２６に搭載されている。なお、上面２１は、上方から見たとき基本的には矩形であり、本実施形態で言う左右方向とは、当該矩形の長手方向である。従って、キャリッジ２６は、上面２１の長手方向に沿って移動するとも言える。キャリッジ２６は、制御部２４による制御下で不図示のモーターの動力により移動する。具体的には、図２に示すように、キャリッジ２６は、第１領域２２ａの下方（位置Ｐ１）〜第２領域２２ｂの左右両端のうち位置Ｐ１から遠い側（位置Ｐ２）間を移動可能である。図２では、第１読取部２３を搭載したキャリッジ２６が位置Ｐ１に在る状態を例示している。本明細書において、平行、直交といった表現は、厳密な平行、直交だけでなく実際の製品において生じ得る程度の誤差も含む意味である。
【００２４】
なお、キャリッジ２６による第１読取部２３の移動には、第１読取部２３が有する構成の全てが移動する場合と、第１読取部２３が有する構成の少なくとも一部分が移動する場合とのいずれも概念として含む。例えば、第１読取部２３の構成のうち前記光源および光学系の一部がキャリッジ２６に搭載されており、イメージセンサー等が所定位置に固定されている場合は、キャリッジ２６に搭載されている第１読取部２３の構成の移動を、第１読取部２３の移動とみなす。
【００２５】
このような読取装置１０において、ＡＤＦスキャンモードでは、蓋３０は閉状態であり、キャリッジ２６は位置Ｐ１に静止している。そして、原稿トレイ３２上の原稿が搬送機構３３により搬送経路Ｒに沿って搬送され、当該搬送中の原稿が、第１読取部２３により、第１領域２２ａを通じて読み取られる。なお、蓋３０の下面３１には、蓋３０が閉状態で窓２２の第１領域２２ａに対向する範囲に窓３５が形成されている。つまり搬送機構３３により搬送経路Ｒに沿って搬送される原稿は、蓋３０側の窓３５および筐体２０側の窓２２（第１領域２２ａ）を介して、第１読取部２３側に露見することとなる。窓３５は、単なる開口であってもよいし、透明なガラスやプラスチックの板がはめ込まれていてもよい。一方、ＦＢスキャンモードでは、位置Ｐ１側から位置Ｐ２側へ（あるいは位置Ｐ２側から位置Ｐ１側へ）キャリッジ２６が移動し、原稿台つまり第２領域２２ｂに載置された原稿は、キャリッジ２６の移動中、第１読取部２３により第２領域２２ｂを通じて読み取られる。
【００２６】
読取装置１０は、ＡＤＦスキャンモードにおいて、原稿の両面スキャンを実行可能な機種であってもよい。上述した第１領域２２ａを通じた第１読取部２３による原稿の読み取りは、搬送機構３３に搬送されるときに下方（蓋３０から見て筐体２０側）を向く原稿の面（以下、一方の面）を読み取る処理である。当該一方の面だけを第１読取部２３で読み取る処理を片面スキャンと呼ぶことにする。一方、当該一方の面と、当該一方の面の逆側の面（以下、他方の面）とを読み取る処理を両面スキャンと呼ぶことにする。両面スキャンを実現するための一手段として、蓋３０は、原稿の読み取りを実行するための第２読取部３６を有しているとしてもよい。第２読取部３６は、搬送経路Ｒを挟んで窓３５に対向する位置に設けられている。第２読取部３６は、第１読取部２３のラインセンサーと同様の方向に長さを有するラインセンサーを含んでいる。読取装置１０は、ＡＤＦスキャンモードにおいて、搬送される原稿の一方の面を第１読取部２３に読み取らせ、かつ、ほぼ同時に当該原稿の他方の面を第２読取部３６に読み取らせることにより、両面スキャンを実現することができる。
【００２７】
本実施形態においては、筐体２０は、電力を無線送電する送電回路２７を有し、蓋３０は、窓２２を覆った状態つまり閉状態で送電回路２７に対向する位置に、電力を無線受電する受電回路３７を有する。具体的には、送電回路２７は、第２領域２２ｂの第１領域２２ａの側とは反対側の窓２２外の位置に設けられている。なお、反対側とは正反対に限られない。図１の例では、第１領域２２ａは第２領域２２ｂの中心よりも左側に配置されているため、送電回路２７は第２領域２２ｂの中心よりも右側に配置されていればよい。送電回路２７および受電回路３７は、いわゆる無接点給電を実現するための送電側および受電側の回路であり、互いがある程度の距離以内に接近することで送電回路２７から受電回路３７への無線による電力供給が成功する。
【００２８】
無接点給電は、非接触給電等とも呼ばれる。無接点給電の規格は、例えば、送電側に埋め込まれたコイルに電流を流して磁束を生じさせて受電側のコイルに電流を生じさせる電磁誘導方式や、送電側と受電側それぞれの共振器を磁界共鳴させて電力を伝送する磁界共鳴方式や、送電側が発した電磁波を受電側で受信して直流電流に変換し電力として利用する電波受信方式等、種々考えられる。受電回路３７は、送電回路２７から受電した電力を、搬送機構３３を含む蓋３０側の電力を必要とする各部へ供給する。つまり、蓋３０が閉じられて送電回路２７と受電回路３７との間で無接点給電が行われることにより、搬送機構３３による原稿の搬送を必要とするＡＤＦスキャンモードでの原稿読み取りが実現される。言うまでもなく、読取装置１０の本体側つまり筐体２０内には、図示しない電源回路が搭載されており、そのような電源回路が供給する電力により本体側の第１読取部２３、制御部２４、受付部２５、キャリッジ２６、送電回路２７等が駆動可能となっている。
【００２９】
このような本実施形態によれば、読取装置１０の筐体２０（本体側）から蓋３０側への電力供給は送電回路２７と受電回路３７との間でワイヤレスで実行される。これにより、電力供給のために筐体２０（本体側）と蓋３０側とを接続するケーブルが不要となる。つまり、当該ケーブルが不要となることで、製品の組み立て作業が簡素化され、また製品の小型化、軽量化、コストダウン等といった効果が生じる。
【００３０】
また上述の通り、筐体２０において、送電回路２７は、第２領域２２ｂの第１領域２２ａの側とは反対側の窓２２外に位置している。筐体２０内の第１読取部２３（第１読取部２３を搭載したキャリッジ２６）は、ＡＤＦスキャンモードの際には、第１領域２２ａに対応する位置Ｐ１に静止している。つまり、少なくともＡＤＦスキャンモードの際には、第１読取部２３と送電回路２７とは、第２領域２２ｂを挟んで互いに離れた位置に在る。従って、送電回路２７と受電回路３７との間で実行される無接点給電に際して発生するノイズの影響が、第１読取部２３による原稿の読取処理（読取結果）へ及ぶことが抑制されると言える。
【００３１】
搬送機構３３や第２読取部３６等といった蓋３０側の構成も、筐体２０側の制御部２４によって制御されることを考えた場合、筐体２０側と蓋３０側との間で通信が必要となる。当該通信を有線で実現する思想も排除しないが、蓋３０側への電力供給を無線化したことを考えると、当該通信も同様に無線化する方がより好適であると言える。そこで、筐体２０は、第２領域２２ｂの第１領域２２ａの側の窓２２外の位置に、無線通信を実行する筐体側無線通信回路２８を有し、蓋３０は、窓２２を覆った状態つまり閉状態で筐体側無線通信回路２８に対向する位置に、無線通信を実行する蓋側無線通信回路３８を有するとしてもよい。筐体側無線通信回路２８および蓋側無線通信回路３８は、互いがある程度の距離以内に接近することで相手を通信先とする無線通信を実行する。筐体側無線通信回路２８および蓋側無線通信回路３８が採用する無線通信の規格は特に問わず、ＮＦＣ（Near Field Communication）や赤外線通信等、種々の規格を採用可能である。
【００３２】
図１の例では、第１領域２２ａは第２領域２２ｂよりも左側に配置されているため、筐体側無線通信回路２８も、第２領域２２ｂよりも左側に配置されている。つまり、筐体側無線通信回路２８と送電回路２７とは、少なくとも第２領域２２ｂを挟んで互いに離れた位置に在る。従って、送電回路２７と受電回路３７との間で実行される無接点給電に際して発生するノイズの影響が、筐体側無線通信回路２８と蓋側無線通信回路３８との間で実行される無線通信へ及ぶことが抑制される。
【００３３】
前記ノイズの影響が無線通信に及ばないようにするには、筐体２０の上面２１付近において、筐体側無線通信回路２８と送電回路２７はできるだけ離れていることが望ましい。そこで、送電回路２７は、筐体側無線通信回路２８の位置の近傍の第２領域２２ｂの角と対角関係にある第２領域２２ｂの角の側に位置するとしてもよい。具体的に図１の例では、筐体側無線通信回路２８は、第１領域２２ａよりも左側かつ読取装置１０の前側に近い位置に在り、送電回路２７は、第２領域２２ｂよりも右側かつ読取装置１０の後側に近い位置に在る。このように本実施形態では、筐体側無線通信回路２８と送電回路２７とを可能な限り離して配置させている。
【００３４】
筐体２０に対する蓋３０の開閉は、ユーザーの手動で行われる。また、蓋３０は、筐体２０に対して着脱可能な構成となっている。
図３は、読取装置１０を左側からの視点により簡易的に例示している。筐体２０と蓋３０とは、筐体２０と蓋３０とに介在する軸２９を中心に回動可能である。図３では、閉状態の蓋３０を実線で示し、開状態の蓋３０を鎖線で示している。図３の例では、軸２９は、後側に近い位置において、上面２１よりも上方に筐体２０と一体的に設けられている。一方、蓋３０は、後側に近い位置において、軸２９を内側に嵌合させる断面略Ｃ字型の凹部３９を有している。つまり蓋３０は、凹部３９が軸２９と嵌合した状態で、ユーザーの手により自在に開閉される。またユーザーは、軸２９から凹部３９を外すことで筐体２０から蓋３０を取り外し、軸２９に凹部３９を嵌めることで筐体２０へ蓋３０を装着することができる。
【００３５】
軸２９と凹部３９とを嵌合する手順および当該嵌合を解く手順は、結果的に筐体２０と蓋３０との着脱を実現させるものであれば何でもよい。例えば、ユーザーは、筐体２０に対して蓋３０を軸２９の長手方向（左右方向）にスライドさせたり、蓋３０を上方や後側へ強い力で引き抜くことで軸２９から凹部３９を外す。また、軸２９から凹部３９を外したときと逆の動作で、軸２９に凹部３９を嵌める。筐体２０または蓋３０には、蓋３０の取り外しを禁止するためのロック機構が設けられていてもよい。つまり、当該ロック機構をユーザーが解除しなければ蓋３０を筐体２０から取り外すことができない構造であってもよい。
【００３６】
さらに蓋３０は、窓２２を覆った状態つまり閉状態で左右方向の一端側と他端側とに位置する両端部に、取っ手４０を有する。当該両端部に在る取っ手４０を持つことで、ユーザーは、蓋３０の開閉や蓋３０の筐体２０に対する着脱を容易に行うことができる。図１に示す取っ手４０の形状は一例に過ぎず、ユーザーが持ち易い形状であれば取っ手４０はどのような形状であってもよい。例えば、取っ手４０は、蓋３０の前記両端部の一部を更に外側へ突出させたような形状であってもよいし、蓋３０とは別の部品であって前記両端部に取り付けられた物であってもよい。あるいは、取っ手４０は、蓋３０の前記両端部の一部を凹ませて指を引っかけ易い形状にしたものであってもよい。
【００３７】
上述したように筐体側無線通信回路２８と送電回路２７は、上面２１の範囲内においてほぼ対角に位置するが、このように対角に位置するという概念には、筐体側無線通信回路２８が読取装置１０の後側に近い位置に在り、送電回路２７が読取装置１０の前側に近い位置に在る場合も含まれる。しかし、図１の例のように、送電回路２７の方が筐体側無線通信回路２８よりも軸２９に近い位置つまり後側に在ることが、より好適である。これは、蓋３０が閉じられる過程で、筐体側無線通信回路２８と蓋側無線通信回路３８との間で無線通信が可能となるよりも早いタイミングで、送電回路２７と受電回路３７との間で無接点給電が開始されるようになるからである。
【００３８】
蓋３０は、窓２２を覆った状態つまり閉状態で筐体２０側へ凸となる脚４１を有するとしてもよい。
図４および図５は、脚４１を有する蓋３０を備える場合の読取装置１０の各例を、図１と同様の視点で示している。
図４の例では、蓋３０は、下面３１の四隅のそれぞれに脚４１を有している。また蓋３０と対面する筐体２０の上面２１は、その四隅それぞれに、脚４１を受け入れるための凹部４２を有している。なお、脚４１の数は４本に限定されず、４本より少なくても４本より多くてもよい。図５の例では、蓋３０は、下面３１の左右両端のうち対面する上面２１における第１領域２２ａに近い側（図では左側）に、下面３１と平行な方向に長尺状の１つの脚４１を有している。図５の例でも、図４と同様に、筐体２０の上面２１は、脚４１を受け入れるための凹部４２を有している。
【００３９】
このように蓋３０が脚４１を有することにより、ユーザーが蓋３０を筐体２０から取り外して蓋３０を床へ置いたときに、蓋３０の下面３１（特に、窓３５やその周辺）が床へ触れて汚れたり破損したりすることを防止できる。また、蓋３０の脚４１と、脚４１を受け入れるための筐体２０側の凹部４２が存在することで、蓋３０を閉じたとき脚４１が凹部４２に収容され、筐体２０に対する蓋３０の位置が毎回確実に安定する。これにより、送電回路２７と受電回路３７との位置ずれや、筐体側無線通信回路２８と蓋側無線通信回路３８との位置ずれが防止され、蓋３０が閉状態となったときに無接点給電や無線通信が安定して実行される。ただし脚４１は、蓋３０を閉じたときに筐体２０の上面２１の範囲に収まる位置よりも外側に形成されていてもよい。
【００４０】
なお、蓋３０側にもＩＣ等で構成された制御部４４が含まれている。基本的には、制御部２４による制御下で実現される読取装置１０の挙動のうち蓋３０側の挙動は、制御部２４からの指示を受けた制御部４４による制御で実現される。
【００４１】
２．読取装置が実行する処理の特徴の説明：
図６は、主に制御部２４がプログラムに従って実現させる処理の一例をフローチャートにより示している。なお、本実施形態で説明するフローチャートを構成する各ステップは、その全てが本発明の思想に必須の工程である訳ではない。
ステップＳ１００では、制御部２４は、受付部２５を介してユーザーからの開始指示が入力されたか否かを随時判定し、開始指示が入力されたと判定した場合に、ステップＳ１１０へ進む。
【００４２】
ステップＳ１１０では、制御部２４は、送電回路２７から受電回路３７への送電が可能であるか否か、つまり無接点給電が可能であるか否かを判定し、無接点給電が可能と判定した場合にステップＳ１２０へ進み、無接点給電が不能と判定した場合にステップＳ２６０へ進む。ステップＳ１１０からステップＳ１２０への分岐は、基本的にはＡＤＦスキャンモードを実行するための分岐であり、一方、ステップＳ１１０からステップＳ２６０への分岐は、基本的にはＦＢスキャンモードを実行するための分岐である。基本的には、蓋３０が筐体２０に対する正常な位置に閉じられていれば無接点給電が可能な状態であり、逆に、蓋３０が開状態であったり筐体２０に対する正常ではない位置に閉じられていれば無接点給電が不能な状態である。つまり、無接点給電が不能な状態ということは、ユーザーにＡＤＦスキャンモードを選択する意思が無いと推定できるため、制御部２４は、ＦＢスキャンモードを実行するために処理を進める（ステップＳ１１０→Ｓ２６０）。
【００４３】
ステップＳ１１０において、制御部２４は、例えば、送電回路２７と受電回路３７との間の送電効率が所定のしきい値以上である場合に無接点給電が可能であると判定し、当該送電効率が当該しきい値未満である場合に、無接点給電が不能であると判定する。このような送電効率に基づく判定の具体的方法は種々考えられる。例えば、制御部２４は、送電回路２７に送電を開始させつつ、受電回路３７側に発生した電力量の通知を蓋３０側から筐体２０側への通信（蓋側無線通信回路３８から筐体側無線通信回路２８への通信）により取得する。当該通信は、蓋３０側の制御部４４が蓋側無線通信回路３８に実行させる。制御部２４は、当該取得した電力量が所定のしきい値以上である場合に、前記送電効率がしきい値以上、つまり無接点給電が可能な状態と判定する。一方、この取得した電力量が所定のしきい値未満である場合や、そもそも電力量の通知が蓋３０側からされない場合に、前記送電効率がしきい値未満、つまり無接点給電が不能な状態と判定する。
【００４４】
ステップＳ１２０では、制御部２４は、送電回路２７を制御して（例えば、送電回路２７に流す電流を制御する等して）所定の電力を送電させる。当該ステップＳ１２０で送電する電力を第１電力とも呼ぶ。第１電力は、搬送機構３３（搬送機構３３のモーター）を駆動するには足りない程度の小さい電力であるが、蓋側無線通信回路３８や制御部４４や後述の原稿センサー４３（図１参照）を駆動するには十分な電力である。
【００４５】
ステップＳ１３０では、制御部２４は、原稿トレイ３２に原稿が載置されているか否か判定する。当該判定は、原稿トレイ３２近傍に設置された原稿センサー４３による検知結果に応じて行う。原稿センサー４３は、原稿トレイ３２における原稿の有無を検知するセンサーである。原稿センサー４３による検知結果は、蓋３０側から筐体２０側への通信（蓋側無線通信回路３８から筐体側無線通信回路２８への通信）により制御部２４へ通知される。つまり蓋３０（制御部４４）は、受電回路３７が電力（第１電力）を受電したことに応じて、搬送機構３３における原稿の有無を原稿センサー４３に検知させ、その検知結果を制御部２４へ通知する。これにより、制御部２４は、現在原稿トレイ３２に原稿が載置されているか否かを判定することができる。制御部２４は、原稿トレイ３２に原稿が載置されていると判定した場合にステップＳ１５０へ進み、原稿トレイ３２に原稿が載置されていないと判定した場合にステップＳ１４０へ進む。
【００４６】
ステップＳ１４０では、制御部２４は、送電回路２７を制御して送電を停止させ、その上で、ステップＳ２６０へ進む。つまり、原稿トレイ３２に原稿が存在しないということは、ユーザーにＡＤＦスキャンモードを選択する意思が無いと推定できるため、制御部２４は、蓋３０側への無接点給電を停止し、ＦＢスキャンモードを実行するために処理を進める（ステップＳ１３０→Ｓ１４０→Ｓ２６０）。一方、ステップＳ１５０へ進むことにより、ＡＤＦスキャンモードによる原稿の読み取りが実質的に開始される。
【００４７】
ステップＳ１５０では、制御部２４は、両面スキャンを実行するか否か判定し、両面スキャンを実行しない（片面スキャンを実行する）場合にはステップＳ１６０へ進み、両面スキャンを実行する場合にはステップＳ１９０へ進む。両面スキャンと片面スキャンのいずれを実行すべきかは、ユーザーが開始指示を入力する前に、受付部２５を介して既に設定している。従って、制御部２４は、当該設定の内容に応じてステップＳ１５０の判定を行なえばよい。
【００４８】
ステップＳ１６０では、制御部２４は、送電回路２７を制御して所定の電力を送電させる。当該ステップＳ１６０で送電する電力を第２電力とも呼ぶ。第２電力は、第１電力よりも大きい電力であり、搬送機構３３（搬送機構３３の前記モーター）を駆動するために十分な程度の電力である。
【００４９】
ステップＳ１７０では、搬送機構３３の駆動を開始する。つまり、制御部４４が受電回路３７を制御して受電回路３７から搬送機構３３（搬送機構３３のモーター）へ電力を供給させる。これにより、搬送機構３３による原稿（原稿トレイ３２に載置されている原稿）の搬送が開始される。
【００５０】
ステップＳ１８０では、制御部２４は、位置Ｐ１にキャリッジ２６が静止している状態で第１読取部２３による原稿の前記一方の面の読み取り（片面スキャン）を実行させる。制御部２４は、第１読取部２３による読み取りで生成された原稿毎の画像データを、逐次、筐体２０内の所定のメモリーへ保存する。当該読み取りは、搬送機構３３によって最後の原稿が搬送されるまで原稿毎に繰り返し実行する。そして、最後の原稿の読み取りを終えたところで、制御部２４は、送電回路２７を制御して送電を停止させる（無接点給電を停止、ステップＳ２５０）。
【００５１】
ステップＳ３００では、制御部２４は、ステップＳ１８０で得た原稿の読み取り結果に対する後処理を実行する。ここで言う後処理には様々な処理が含まれる。例えば、制御部２４は、後処理として、原稿の読み取り結果として前記筐体２０内の所定のメモリーへ保存されている画像データに特定の加工を施したり、当該画像データを外部の装置（例えば、読取装置１０と通信可能に接続した外部のコンピューター）へ転送したり、当該画像データに基づく印刷を実行したりする。そして、制御部２４は、後処理が終了したタイミングで当該フローチャートを終了する。
【００５２】
次に、ＡＤＦスキャンモードにおいて両面スキャンを実行する場合（ステップＳ１５０からステップＳ１９０へ進んだときの処理）を説明する。まず、ステップＳ１９０，Ｓ２００は、ステップＳ１６０，Ｓ１７０と同じである。
【００５３】
ステップＳ２１０では、制御部２４は、予め決められた枚数（Ｎ枚）の原稿を対象として、位置Ｐ１にキャリッジ２６が静止している状態での第１読取部２３による原稿の前記一方の面の読み取り、および、蓋３０側の第２読取部３６による原稿の前記他方の面の読み取り（両面スキャン）を実行させる。制御部２４は、第１読取部２３による読み取りで生成された原稿（前記一方の面）毎の画像データを、逐次、筐体２０内の所定のメモリーへ保存する。一方、制御部４４は、第２読取部３６による読み取りで生成された原稿（前記他方の面）毎の画像データを、逐次、蓋３０内の所定のメモリーへ保存する。
【００５４】
前記Ｎ枚は、前記蓋３０内の所定のメモリーが記憶可能な画像のページ数に相当する。前記蓋３０内の所定のメモリーは、前記他方の面の読み取り結果としての画像データを筐体２０側へ送信する前に一時的に保存するためのメモリーであるため、前記筐体２０内の所定のメモリーと比較して記憶容量が大幅に小さい。従って、原稿トレイ３２に載置されている原稿を基本的には全て連続的に搬送して読み取るステップＳ１８０（片面スキャン）と異なり、ステップＳ２１０（両面スキャン）では、前記Ｎ枚分の原稿の搬送および読み取りを連続して実行する。前記Ｎ枚は、製品の仕様にもよるが、例えば１〜２０枚程度の比較的少ない数である。
ステップＳ２２０では、制御部２４は、送電回路２７を制御して送電する電力を現在の第２電力から第１電力へ低下させる。これにより搬送機構３３の駆動が停止する。
【００５５】
ステップＳ２３０では、制御部２４は、第２読取部３６による読み取りで生成された前記Ｎ枚分の原稿（前記他方の面）毎の画像データを蓋３０側から受信し、筐体２０内の所定のメモリーへ保存する。この場合、蓋３０側では、制御部４４が、前記蓋３０内の所定のメモリーに保存されている画像データを読み出して、蓋側無線通信回路３８から筐体側無線通信回路２８へ送信させる。
【００５６】
ステップＳ２４０では、制御部２４は、全ての原稿の読み取りを終了したか否か判定し、全ての原稿の読み取りを終了したと判定した場合に、ステップＳ２５０，Ｓ３００を実行して当該フローチャートを終了する。全ての原稿の読み取りを終了したか否かは、その時点での原稿センサー４３による原稿有無の検知結果に基づいて判定することができる。当該ステップＳ２４０において、制御部２４は、原稿の読み取りを全て終了していないと判定した場合には、ステップＳ１９０へ戻り、ステップＳ１９０以降の処理を繰り返す。つまり、現在原稿トレイ３２に載置されている原稿のうちのＮ枚の原稿が、新たに連続的に搬送されて両面スキャンされる。
【００５７】
ステップＳ２６０では、制御部２４は、キャリッジ２６の移動を開始させる。通常、キャリッジ２６は、移動を終えるとき所定のホームポジションへ帰る。従って、キャリッジ２６が移動を開始するときはホームポジションに静止している状況から移動する。ホームポジションは、例えば、位置Ｐ１あるいは位置Ｐ１の近傍である。
【００５８】
ステップＳ２７０では、制御部２４は、ＦＢスキャンモードによる原稿の読み取りを開始する。つまり、キャリッジ２６を（例えば位置Ｐ２へ向けて）移動させながら第１読取部２３に第２領域２２ｂを通じて原稿を読み取らせる。ただし制御部２４は、原稿台（第２領域２２ｂ）上に原稿が有るか否かを判定し（ステップＳ２８０）、原稿有りと判定した場合にステップＳ２７０で開始したスキャンを継続する。制御部２４は、ステップＳ２７０でスキャンを開始した直後から得られる第１読取部２３による読み取り結果から原稿の存在を検知できた場合に原稿有りと判定する。
【００５９】
制御部２４は、ステップＳ２７０で開始したスキャンをキャリッジ２６の移動終了（例えば、キャリッジ２６の位置Ｐ２への到達）とともに完了させる（ステップＳ２９０）。制御部２４は、ＡＤＦスキャンモード実行時と同様、ＦＢスキャンモードの実行時も、第１読取部２３による読み取りで生成された原稿の画像データを、筐体２０内の所定のメモリーへ保存する。制御部２４は、ステップＳ２９０からステップＳ３００を経て、当該フローチャートを終了する。
【００６０】
上述のステップＳ２８０において、原稿台（第２領域２２ｂ）上に原稿無しと判定した場合、制御部２４は、その時点でキャリッジ２６をホームポジションへ帰すとともに、送電回路２７から受電回路３７への送電が可能であったか、つまり無接点給電が可能であったか否かに応じて処理を分岐する（ステップＳ３１０）。当該ステップＳ３１０では、ステップＳ１１０で無接点給電不能と判断した結果ステップＳ２６０以降へ進んだのか、あるいはステップＳ１３０からステップＳ１４０を経てステップＳ２６０以降へ進んだのかにより、処理を分岐する。
【００６１】
制御部２４は、ステップＳ１３０からステップＳ１４０を経てステップＳ２６０以降へ進んだ場合、ステップＳ３１０からステップＳ３２０へ進み、第１エラー通知を実行した上で当該フローチャートを終了する。一方、制御部２４は、ステップＳ１１０で無接点給電不能と判断した結果ステップＳ２６０以降へ進んだ場合、ステップＳ３１０からステップＳ３３０へ進み、第２エラー通知を実行した上で当該フローチャートを終了する。制御部２４は、例えば筐体２０の表面に設けられた不図示のディスプレイや、不図示のスピーカ等を介して、画像や音声の出力によりユーザーへのエラー通知を実行する。
【００６２】
第１エラー通知と第２エラー通知は、その内容が異なる。ステップＳ３２０では、制御部２４は、原稿が原稿トレイ３２と原稿台とのいずれにも載置されていない旨を通知する（第１エラー通知を実行する）。一方、ステップＳ３３０では、制御部２４は、原稿台に原稿が載置されていない旨およびＡＤＦスキャンモードを実行するには蓋３０を正しく閉じる必要がある旨を通知する（第２エラー通知を実行する）。つまり、ステップＳ３３０に進んだ場合には、ユーザーがＡＤＦスキャンモードを実行する意思を有しているにも関わらず蓋３０が正常に閉じられていない、という状況も想定されるため、このような第２エラー通知を実行する。このように、読取装置１０の状況に応じてユーザーに有益なエラー通知を行うことができる。
【００６３】
このような本実施形態によれば、制御部２４は、開始指示を受けたことに応じて（ステップＳ１００において“Ｙｅｓ”）、無接点給電が可能であるか否か判定し、可能と判定した場合に（ステップＳ１１０において“Ｙｅｓ”）ＡＤＦスキャンモードを実行し（ステップＳ１５０〜Ｓ２５０）、不可能と判定した場合に（ステップＳ１１０において“Ｎｏ”）ＦＢスキャンモードを実行する（ステップＳ２６０〜Ｓ２９０）を実行する、という思想を開示している。つまり、読取装置１０の状況に応じて、ＡＤＦスキャンモードとＦＢスキャンモードのいずれかが自動的に選択され実行されるため、ユーザーは、これらモードのいずれを選択するかを読取装置１０に対して指定する必要が無い。
【００６４】
また本実施形態によれば、制御部２４は、開始指示を受けたことに応じて（ステップＳ１００において“Ｙｅｓ”）、無接点給電が可能であると判定した場合に（ステップＳ１１０において“Ｙｅｓ”）、送電回路２７から第１電力を送電させ（ステップＳ１２０）、蓋３０は、受電回路３７が電力を受電したことに応じて搬送機構３３における原稿の有無を検知し、この検知結果を制御部２４へ通知し、制御部２４は、当該検知結果が原稿有りを示す場合に（ステップＳ１３０において“Ｙｅｓ”）ＡＤＦスキャンモードを実行し（ステップＳ１５０〜Ｓ２５０）、当該検知結果が原稿無しを示す場合に（ステップＳ１３０において“Ｎｏ”）、送電回路２７からの送電を停止させ（ステップＳ１４０）、ＦＢスキャンモードを実行する（ステップＳ２６０〜Ｓ２９０）、という思想を開示している。これにより、原稿トレイ３２における原稿の有無に応じてＡＤＦスキャンモードとＦＢスキャンモードのいずれかが自動的に選択され実行されるため、ユーザーは、これらモードのいずれを選択するかを読取装置１０に対して指定する必要が無い。
【００６５】
また本実施形態によれば、制御部２４は、前記検知結果が原稿有りを示すことに応じて（ステップＳ１３０において“Ｙｅｓ”）ＡＤＦスキャンモードを実行する場合に、送電回路２７から第１電力よりも大きい第２電力を送電させ（ステップＳ１６０，Ｓ１９０）、受電回路３７は第２電力を受電したことに応じて搬送機構３３へ電力を供給する、という思想を開示している。これは言い換えると、ＡＤＦスキャンモードにおいて搬送機構３３を駆動させるまでは、無接点給電により比較的小さな第１電力を供給しているに過ぎないため、ある程度の節電効果が生じる。
【００６６】
また本実施形態によれば、制御部２４は、ＡＤＦスキャンモードにおいて、両面スキャンを実行する場合には（ステップＳ１５０において“Ｙｅｓ”）、搬送機構３３に原稿の搬送を間欠に実行させ（Ｎ枚の原稿を搬送させた後、搬送を一旦停止する、という動作を繰り返させ）、搬送と搬送との間に送電回路２７からの送電量を低減させつつ（ステップＳ２２０）、第２読取部３６による読み取りで生成された画像データを蓋３０から受信し（ステップＳ２３０）、一方、片面スキャンを実行する場合には（ステップＳ１５０において“Ｎｏ”）、原稿トレイ３２上の原稿の読み取り終了まで搬送機構３３に原稿の搬送を連続的に実行させる（ステップＳ１７０，Ｓ１８０）、という思想を開示している。このように、両面スキャンを実行する場合に、送電回路２７から送電する電力を第２電力から第１電力へ低減させたタイミングで、蓋３０から筐体２０側への画像データの送信を行うことにより、無接点給電に際して発生するノイズの影響が当該画像データの送信へ及ぶことをできるだけ抑制することができる。
【００６７】
３．他の実施形態：
本発明は上述の実施形態に限られるものではなく、その要旨を逸脱しない範囲において種々の態様において実施することが可能であり、例えば後述するような各実施形態を採用可能である。各実施形態を適宜組み合わせた構成も本発明の開示範囲に入る。
【００６８】
ＡＤＦスキャンモードにおいて両面スキャンの実行中に、蓋３０が何等かの力を受けて、筐体２０に対する正常な位置からずれたり開いたりして、無接点給電が突然不能となることが考えられる。図７は、このような両面スキャン中に無接点給電が突然不能となった場合（無接点給電エラーが発生した場合）に制御部２４が実行する処理を示すフローチャートである。制御部２４は、ステップＳ１９０〜２４０を繰り返す間、無接点給電が可能な状態であるか否かを並行して随時判定しており、無接点給電が不能な状態になったと判定したときに、図７のフローチャートを開始する。
【００６９】
ステップＳ４００では、制御部２４は、無接点給電が可能であるか否かを判定し、無接点給電が可能であると判定した場合にステップＳ４１０へ進む。つまり、両面スキャン中に無接点給電エラーへ陥った後、ユーザーが、蓋３０が筐体２０に対してずれていたり開いていることに気付いて、再び蓋３０を正常に閉じた場合に無接点給電が可能な状態に戻り、これによりステップＳ４００からステップＳ４１０へ進むことができる。
【００７０】
ステップＳ４１０では、制御部２４は、送電回路２７を制御して第１電力を送電させる。次のステップＳ４２０では、制御部２４は、無接点給電エラーが発生する前に第２読取部３６による読み取りで生成された画像データを、蓋３０側から受信し、筐体２０内の所定のメモリーへ保存する。
【００７１】
図８を参照しながらステップＳ４２０に関する説明を行う。図８は、蓋３０が有する構成の一部をブロック図により例示している。蓋３０は、これまで説明した構成に加え、揮発性メモリー５０、蓄電回路５１、および不揮発性メモリー５２を有する。なお、揮発性メモリー５０、蓄電回路５１、および不揮発性メモリー５２は、制御部４４の一部と考えてもよい。揮発性メモリー５０は、前記蓋３０内の所定のメモリーの１つに該当する。蓄電回路５１は、コンデンサー等を含んでおり、受電回路３７が受電した電力の少なくとも一部を蓄電している。
【００７２】
両面スキャンの実行中、Ｎ枚分の原稿の前記他方の面を第２読取部３６が読み取って生成した画像データは、揮発性メモリー５０へ一旦保存され、制御部４４は、揮発性メモリー５０に保存されている画像データを読み出して、蓋側無線通信回路３８から筐体側無線通信回路２８へ送信させる（ステップＳ２１０〜Ｓ２３０）。しかし、このような状況では、無接点給電エラーが発生した場合に、揮発性メモリー５０に保存されて筐体２０側へ未送信である画像データが消失してしまう。そこで制御部４４は、受電回路３７による受電に異常が発生した場合、つまり無接点給電エラーの発生を認知した場合、揮発性メモリー５０に記憶されている画像データを、蓄電回路５１に蓄電されている電力を用いて不揮発性メモリー５２へ転送して記憶させる。このような処理により、筐体２０側へ送信する前の画像データの消失を防ぐことができる。
【００７３】
従って、ステップＳ４２０では、蓋３０側では、制御部４４が、不揮発性メモリー５２に保存されている画像データを読み出して、蓋側無線通信回路３８から筐体側無線通信回路２８へ送信させる。これにより、筐体２０側では、制御部２４が、無接点給電エラーが発生する前に第２読取部３６による読み取りで生成された画像データを、無事受信することができる。その後、制御部２４は、失敗原稿が存在せず、かつ開始指示の入力があった場合に（ステップＳ４３０において“Ｙｅｓ”）、ステップＳ１９０へ復帰する。失敗原稿とは、搬送経路Ｒの途中で止まってしまった原稿を意味する。つまり、制御部２４は、失敗原稿が搬送経路Ｒから取り除かれたことを所定のセンサー等で確認し（ユーザーは、取り除いた失敗原稿を再び原稿トレイ３２へセットし）、開始指示の入力があったとき、原稿トレイ３２に現在セットされている原稿を対象とした両面スキャンを開示する。
【００７４】
なお、図８に例示した構成のうち揮発性メモリー５０および蓄電回路５１は無くてもよい。つまり、両面スキャンの実行中、Ｎ枚分の原稿の前記他方の面を第２読取部３６が読み取って生成した画像データは、不揮発性メモリー５２へ一旦保存され、制御部４４は、不揮発性メモリー５２に保存されている画像データを読み出して、蓋側無線通信回路３８から筐体側無線通信回路２８へ送信させる（ステップＳ２１０〜Ｓ２３０）としてもよい。このような構成であれば、無接点給電エラーが発生しても、不揮発性メモリー５２に保存されて筐体２０側へ未送信である画像データは消失することは無い。
【００７５】
図９は、主に制御部２４がプログラムに従って実現させる処理の一例であって、図６とは異なる例をフローチャートにより示している。図９は、図６と比較したとき、ステップＳ１１０（図６）の判定が無い。つまり制御部２４は、単純に、原稿トレイ３２に原稿が載置されているか否かの判定に応じてＡＤＦスキャンモードの実行とＦＢスキャンモードの実行とを分岐するとしてもよい。
このような図９やこれまでの説明によれば、窓を有する筐体と、前記筐体の内部に位置する読み取りのための読取部と、前記窓を覆い、前記窓の第１領域に対向する位置へ原稿を搬送する搬送機構を有する蓋と、前記搬送機構に搬送される原稿を前記第１領域を通じて前記読取部に読み取らせる第１読取モードと、前記搬送機構に搬送されていない原稿を前記窓の第２領域を通じて前記読取部に読み取らせる第２読取モードとを制御する制御部と、を備える読取装置であって、前記筐体は、電力を無線送電する送電回路を有し、前記蓋は、前記窓を覆った状態で前記送電回路に対向する位置に電力を無線受電する受電回路を有し、前記制御部は、読み取り開始の指示を受けたことに応じて、前記送電回路から第１電力を送電させ、前記蓋は、前記受電回路が電力を受電したことに応じて、前記搬送機構における原稿の有無を検知し、当該検知の結果を前記制御部へ通知し、前記制御部は、前記検知の結果が原稿有りを示す場合に前記第１読取モードを実行し、前記検知の結果が原稿無しを示す場合には、前記送電回路からの送電を停止させ、前記第２読取モードを実行し、前記第１読取モードを実行する場合に、前記送電回路から前記第１電力よりも大きい第２電力を送電させ、前記受電回路は、前記第２電力を受電したことに応じて前記搬送機構へ電力を供給する、構成を把握することができる。
【００７６】
図１０は、主に制御部２４がプログラムに従って実現させる処理の一例であって、図６，９とは異なる例をフローチャートにより示している。図１０は、図６，９と比較したとき、ステップＳ１１０（図６），Ｓ１２０（図６，９），Ｓ１３０（図６，９）が無く、替わりにステップＳ１１５を有する。ステップＳ１１５では、制御部２４は、ＡＤＦスキャンモードを実行すべきか否か判定し、ＡＤＦスキャンモードを実行すべき場合にはステップＳ１５０へ進み、ＡＤＦスキャンモードを実行すべきでない（ＦＢスキャンモードを実行すべき）場合にはステップＳ１４０へ進む。なお、図１０では、ステップＳ１４０のタイミングで、そもそも無接点給電が実行されていなければ、当該ステップＳ１４０を実行する必要は無い。
【００７７】
ステップＳ１１５における判定方法は特に問わない。制御部２４は、ＡＤＦスキャンモードとＦＢスキャンモードとのどちらを実行すべきかを受付部２５を介してユーザーに指定させてもよいし、これまで説明したステップＳ１１０やステップＳ１３０での判定方法を流用してもよい。
このような図１０やこれまでの説明によれば、窓を有する筐体と、前記筐体の内部に位置する読み取りのための第１読取部と、前記窓を覆い、前記窓の第１領域に対向する位置へ原稿を搬送する搬送機構を有する蓋と、前記搬送機構に搬送される原稿を前記第１領域を通じて前記第１読取部に読み取らせる第１読取モードと、前記搬送機構に搬送されていない原稿を前記窓の第２領域を通じて前記第１読取部に読み取らせる第２読取モードとを制御する制御部と、を備える読取装置であって、前記筐体は、電力を無線送電する送電回路を有し、前記蓋は、前記窓を覆った状態で前記送電回路に対向する位置に電力を無線受電する受電回路と、読み取りのための第２読取部とを有し、前記制御部は、前記第１読取モードにおいて、原稿の一方の面を前記第１読取部に読み取らせ当該原稿の他方の面を前記第２読取部に読み取らせる両面スキャンを実行する場合には、前記搬送機構に原稿の搬送を間欠に実行させ、当該搬送と搬送との間に前記送電回路からの送電量を低減させつつ前記第２読取部による読み取りで生成された画像データを前記蓋から受信し、前記第１読取モードにおいて、原稿の一方の面を前記第１読取部に読み取らせる片面スキャンを実行する場合には、原稿の読み取り終了まで前記搬送機構に原稿の搬送を連続的に実行させる、構成を把握することができる。
【００７８】
これまでは、制御部２４は、無接点給電が可能であるか否かを判定する場合、送電回路２７と受電回路３７との間の送電効率が所定のしきい値以上であるか否かを判定するとしたが、他の判定方法を用いることも可能である。例えば、読取装置１０は、蓋３０の開閉を検知する開閉センサーを有し、当該開閉センサーが蓋３０の閉状態を検知している場合に、制御部２４は、無接点給電が可能であると判定してもよい。また、読取装置１０は、筐体２０の上面２１と蓋３０の下面３１との間に異物が存在する場合に当該異物を検知する異物センサーを備え、当該異物センサーが異物を検知している場合には少なくとも、制御部２４は、無接点給電が不能であると判定してもよい。
【００７９】
図６，９，１０において、制御部２４は、後処理（ステップＳ３００）実行後、さらにスキャンを実行するか否かをユーザーに画像や音声で問い合わせるとしてもよい。当該問い合わせに対して肯定的な応答（例えば、開始指示）があった場合、制御部２４は、図６，９，１０に示すフローチャートを再び実行するとしてもよい。
【００８０】
蓋３０が第２読取部３６を有さない構成であっても、ＡＤＦスキャンモードにおいて両面スキャンは可能である。つまり、搬送機構３３は、原稿トレイ３２に載置された原稿を搬送経路Ｒに沿って搬送した後、当該原稿を反転させた状態で再度搬送経路Ｒに沿って搬送する。これにより、筐体２０側の第１読取部２３により、第１領域２２ａを通じて、同じ原稿の表と裏を読み取ることができる。ただし、このように搬送機構３３が原稿を一枚ずつ反転させて実現させる両面スキャンには、これまでのステップＳ１９０〜Ｓ２４０の説明は適用されない。
【００８１】
筐体２０内の第１読取部２３は、キャリッジ２６に搭載されていなくてもよい。例えば、第１読取部２３は、ある程度の面積を一度に読取可能なエリアセンサーであり、移動することなく、窓２２を通じて原稿を読み取ることができる装置であってもよい。
【符号の説明】
【００８２】
１０…読取装置、２０…筐体、２１…上面、２２…窓、２２ａ…第１領域、２２ｂ…第２領域、２３…第１読取部、２４…制御部、２６…キャリッジ、２７…送電回路、２８…筐体側無線通信回路、２９…軸、３０…蓋、３１…下面、３２…原稿トレイ、３３…搬送機構、３６…第２読取部、３７…受電回路、３８…蓋側無線通信回路、４０…取っ手、４１…脚
【図１】
0006500714.tif 000002
【図２】
0006500714.tif 000003
【図３】
0006500714.tif 000004
【図４】
0006500714.tif 000005
【図５】
0006500714.tif 000006
【図６】
0006500714.tif 000007
【図７】
0006500714.tif 000008
【図８】
0006500714.tif 000009
【図９】
0006500714.tif 000010
【図１０】
0006500714.tif 000011